【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
用紙束（１０）と、
該用紙束（１０）の表裏に設けられた表紙部（２０）と、
表側の表紙部（２１）と裏側の表紙部（２２）との間に回動可能に設けられた起立脚部（３０）と、からなる手帳であって、
前記用紙束（１０）と共に一方の表紙部（２１）に巻き回わされて表裏の表紙部（２０）を結束するための結束部材（５０）を、他方の表紙部（２２）に配設したことを特徴とする手帳。
【請求項２】
前記結束部材（５０）はゴム部材であり、前記起立脚部（３０）に設けられた透孔（３３，３４）を介して前記他方の表紙部（２２）に取り付けられたことを特徴とする請求項１に記載の手帳。
【請求項３】
前記起立脚部（３０）は、弾性部材（６０）によって、前記他方の表紙部（２２）から離反する方向に付勢されたことを特徴とする請求項１又は請求項２に記載の手帳。
【請求項４】
前記用紙束（１０）は、月日と曜日が表示されてなるカレンダー用紙（１１）を含んで構成されており、
該カレンダー用紙（１１）の裏面部に、表面部に表示された月又は週にできなかった予定を記載するための残務記載部（１２）を設けたことを特徴とする請求項１〜請求項３の何れか１つの請求項に記載の手帳。
【請求項５】
用紙束（１０）の表側に配設される表表紙（２１）と、
前記用紙束（１０）の裏側に配設されて、線状のゴム部材からなる結束部材（１５０）を取り付けてなる裏表紙（１２２）と、
前記結束部材（１５０）が挿通される透孔（１３３，１３４）を備えた起立脚部（１３０）と、
開閉可能なリング（１４１）を背部（１４２）に沿って等間隔に設けて構成されたリング部材（１４０）と、からなる手帳材料（１００）と、
複数の棒状の穿孔刃（２３１）が夫々案内される案内路（２３２）に対して直交方向にスリット（２３３）を設けた基台（２３４）に該穿孔刃（２３１）の刃先を下に向けて組み付けて構成されて該穿孔刃（２３１）を押し下げることで前記スリット（２３３）に挿入された用紙（１０）に綴じ穴（１７）を設けるパンチ（２００）と、
該パンチ（２００）の位置決め部（２３６）において位置合わせ可能な位置決め器具（３００）と、を含んで構成されたことを特徴とする手帳システム。
【請求項６】
コンピュータ装置を介して所定の罫線を印刷させるためのプログラムを保持した記憶手段を更に含み、
月日と曜日が表示されてなるカレンダー用紙（１１）を、前記コンピュータ装置を介して所望の用紙に印刷して作成できるようにしたことを特徴とする請求項５に記載の手帳システム。
【手続補正２】
【補正対象書類名】明細書
【補正対象項目名】０００５
【補正方法】変更
【補正の内容】
【０００５】
上記課題を解決するために、本発明に係る手帳は、用紙束と、該用紙束の表裏に設けられた表紙部と、表側の表紙部と裏側の表紙部との間に回動可能に設けられた起立脚部と、からなる手帳であって、前記用紙束と共に一方の表紙部に巻き回わされて表裏の表紙部を結束するための結束部材を、他方の表紙部に配設したことを特徴とするものである。
この場合、前記結束部材はゴム部材であり、前記起立脚部に設けられた透孔を介して前記他方の表紙部に取り付けられたものであってもよい。
また、前記起立脚部は、弾性部材によって、前記他方の表紙部から離反する方向に付勢されたものであってもよい。
【手続補正３】
【補正対象書類名】明細書
【補正対象項目名】０００６
【補正方法】変更
【補正の内容】
【０００６】
また、前記用紙束は、月日と曜日が表示されてなるカレンダー用紙を含んで構成されており、
該カレンダー用紙の裏面部に、表面部に表示された月又は週にできなかった予定を記載するための残務記載部を設けてもよい。
【手続補正４】
【補正対象書類名】明細書
【補正対象項目名】０００７
【補正方法】変更
【補正の内容】
【０００７】
本発明に係る手帳システムは、用紙束の表側に配設される表表紙と、前記用紙束の裏側に配設されて、線状のゴム部材からなる結束部材を取り付けてなる裏表紙と、前記結束部材が挿通される透孔を備えた起立脚部と、開閉可能なリングを背部に沿って等間隔に設けて構成されたリング部材と、からなる手帳材料と、複数の棒状の穿孔刃が夫々案内される案内路に対して直交方向にスリットを設けた基台に該穿孔刃の刃先を下に向けて組み付けて構成されて該穿孔刃を押し下げることで前記スリットに挿入された用紙に綴じ穴を設けるパンチと、該パンチの位置決め部において位置合わせ可能な位置決め器具と、を含んで構成されたものである。
【手続補正５】
【補正対象書類名】明細書
【補正対象項目名】０００８
【補正方法】変更
【補正の内容】
【０００８】
この場合、コンピュータ装置を介して所定の罫線を印刷させるためのプログラムを保持した記憶手段を更に含み、月日と曜日が表示されてなるカレンダー用紙を、前記コンピュータ装置を介して所望の用紙に印刷して作成できるようにしてもよい。
【手続補正６】
【補正対象書類名】明細書
【補正対象項目名】０００９
【補正方法】変更
【補正の内容】
【０００９】
本発明は、用紙束と、該用紙束の表裏に設けられた表紙部と、表側の表紙部と裏側の表紙部との間に回動可能に設けられた起立脚部と、によって手帳を構成したので、用紙束にカレンダー用紙を含めた場合、その手帳を起立させて卓上カレンダーの状態することができる。起立させるための支持台を別部材として設ける必要がない。
請求項２に係る発明は、用紙束と共に一方の表紙部を結束するための結束部材を、起立脚部に設けられた透孔を介して他方の表紙部に設けたので、結束部材によって規制される範囲で、起立脚部を回動させることができる。これによって、結束部材の取り付けられた表紙部と、起立脚部とを所定角度に傾斜させた状態で起立させることができる。用紙に記入しようとする際には、起立脚部を結束部材が取り付けられた方の表紙部に密着させることで、平面状にすることができる。起立状態から持ち上げるだけで、起立脚部が表紙部と密着して手帳の状態になるので、素早くメモを取ることができる。
また、結束部材をゴム部材としたので、用紙束と共に一方の表紙部に巻き回す作業を迅速に行うことができる。これによって、手帳を携帯する際に、素早く手帳を結束することができる。携帯時に手帳のページがめくれないので、情報保護に資する。
【手続補正７】
【補正対象書類名】明細書
【補正対象項目名】００１０
【補正方法】変更
【補正の内容】
【００１０】
請求項３に係る手帳は、起立脚部が、弾性部材によって表紙部から離反する方向に付勢されるので、手帳として使用しない時は自動的に起立され、カレンダーの状態となる。これによって、素早くカレンダー状態にすることができる。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
請求項４に係る手帳は、カレンダー用紙の裏面部に、表面部に表示された月又は週にできなかった予定を記載するための残務記載部を設けたので、ページをめくって前月のカレンダーを見ることなく、前月に処理されるべきであった仕事を把握することができる。
【手続補正１０】
【補正対象書類名】明細書
【補正対象項目名】００１３
【補正方法】変更
【補正の内容】
【００１３】
請求項５に係る手帳システムは、表表紙と、結束部材を取り付けてなる裏表紙と、弾性部材を有すると共に結束部材が挿通される透孔を備えた起立脚部と、リング部材と、からなる手帳材料と、手帳用紙に綴じ穴を設けるためのパンチと、手帳用紙の所定位置に綴じ穴を設けるための位置決め器具と、を含んで構成されたので、市販のコピー用紙に綴じ穴を設けることで、オリジナルな手帳用紙を作製することができる。
この場合、表裏表紙を、市販のコピー用紙（Ａ４版、Ｂ４版など）の半分のサイズ（Ａ５版、Ｂ５版）に対応する大きさに設計すれは、市販の用紙の長手方向中央を折り曲げて、その折り曲げ線に沿ってパンチで綴じ穴を設けることで、オリジナルなカレンダー用紙を作製することができる。或いは、用紙を折り曲げた状態を開放側の縁部に沿ってパンチで綴じ穴を設けることで、折り曲げられた内側のページにＩＤやパスワードなどの秘密情報が記載されていても、人目に触れないようにすることができる。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】変更
【補正の内容】
【００１５】
請求項６に係る手帳は、コンピュータ装置を介して所定の罫線を用紙に印刷するためのプログラムを保持した記憶手段を含んだ構成としたので、市販の用紙で、所望のカレンダー用紙を作製することができる。